(57)【要約】      （修正有）【課題】日本の伝統工芸品であり、縁起が良く手作り感がある水引細工を含み、お守りとしての携帯性や有用性、美観に優れ、かつ手頃な値段で、参拝者が持ち帰りたくなるようなおみくじを提供する。【解決手段】水引細工入りおみくじ１は、水引細工１０と、託宣が記載されている紙３０と、を包装容器２０の中に含むことを特徴とする。この水引細工１０は花の形状であることが好ましい。また、包装容器２０は、円筒型包装容器であり、託宣が記載されている紙３０には、水引細工１０の説明が記載されていることが好ましい。【選択図】図３
0003193086.tif 000002
【実用新案登録請求の範囲】
【請求項１】
水引細工と、託宣が記載されている紙を包装容器に含むことを特徴とする水引細工入りおみくじ。
【請求項２】
請求項１に記載の水引細工入りおみくじにおいて、前記水引細工は花の形状であることを特徴とする水引の細工入りおみくじ。
【請求項３】
請求項１又は２に記載の水引細工入りおみくじにおいて、前記包装容器は、円筒型包装容器であることを特徴とする水引細工入りおみくじ。
【請求項４】
請求項１から３のいずれかに記載の水引細工入りおみくじにおいて、前記託宣が記載されている紙には、前記水引細工の説明が記載されていることを特徴とする水引細工入りおみくじ。
【考案の詳細な説明】
【技術分野】
【０００１】
本考案は、水引の細工を含むおみくじに関する。
【背景技術】
【０００２】
近年、神社等で販売されるおみくじは多様化しており、単に運勢を記載した紙ではなく、参拝者が持って帰りたくなるような商品性の高いおみくじが増えてきた。例えば、おみくじを購入後に、インテリア又はアクセサリーやお守りとして使用できるものも多い。
【０００３】
特許文献１には、天然石を組み込んだおみくじが開示されている。天然石は不思議なパワーを持つとされていることから、運勢と天然石の説明が記載された紙と共に持ち帰ってお守りとすることができる。また、特許文献２には、持ち帰った後に有効に活用できるように、扇子型のおみくじが開示されている。
【０００４】
このように、おみくじに様々な工夫を凝らすことで、参拝者の購買意欲が高められている。また、参拝者が持って帰りたくなるようなおみくじが増えたことで、神社の木や専用の柵に結ばれる紙のおみくじが減り、その結果、ごみの量を減らすことができる。
【先行技術文献】
【特許文献】
【０００５】
【特許文献１】実用新案登録第３０９５９６４号公報
【特許文献２】実用新案登録第３１０２５６７号公報
【考案の概要】
【考案が解決しようとする課題】
【０００６】
上記のようにおみくじが多様化し、単に運勢を占うだけでなく、持ち帰りたくなるようなお守りとしての携帯性や有用性、美観性を持ったおみくじが好まれている。また、それに加えて日本の伝統工芸品であり、縁起の良いもの、手作り感があるものでかつ値段が手頃なものが更に好まれている。このような日本の伝統工芸品であり、美観に優れたおみくじは、お土産にすることもできることから、特に海外からの観光客には好まれる傾向がある。
【０００７】
本考案は、上記事情を鑑みてなされたものであり、日本の伝統工芸品であり、縁起が良く手作り感がある水引細工を含み、お守りとしての携帯性や有用性、美観に優れ、かつ手頃な値段のおみくじを提供することを目的とする。
【課題を解決するための手段】
【０００８】
本考案の１は、水引細工と、託宣が記載されている紙を包装容器に含むことを特徴とする水引細工入りおみくじである。
【０００９】
本考案の２は、本考案の１に記載の水引細工入りおみくじにおいて、前記水引細工は花の形状であることを特徴とする水引細工入りおみくじである。
【００１０】
本考案の３は、本考案の１又は２に記載の水引細工入りおみくじにおいて、前記包装容器は、円筒型包装容器であることを特徴とする水引細工入りおみくじである。
【００１１】
本考案の４は、本考案１から３のいずれかに記載の水引細工入りおみくじにおいて、前記託宣が記載されている紙には、前記水引細工の説明が記載されていることを特徴とする水引の細工入りおみくじである。
【考案の効果】
【００１２】
本考案の１の水引細工入りおみくじによれば、日本の伝統工芸品であり、縁起が良く、手作り感がある水引細工が中に入っていることで、参拝者の購買意欲を高めることができる。それにより、間接的に、神社境内のごみの量を減らすことができる。また、水引細工は材料にコストがかからず、安価に製造することができるため、手頃な値段で水引細工入りおみくじを提供することができる。また、おみくじに入っている水引細工は、お守りとして使用できるだけではなく、手が込んだ印象があるためギフト用のワンポイントのラッピングとして使用したり、手紙に添えたり、封筒に貼ったりして使用することもできる。
【００１３】
本考案の２の水引細工入りおみくじによれば、特に水引細工が花の形状である場合には、より一般的にギフト用のラッピング等に使用することができる。
【００１４】
本考案の３の水引細工入りおみくじによれば、円筒型包装容器に水引細工が入っていることで、水引細工の立体的な形状を保つことができる。また、託宣が記載されている紙を丸めて収納することができるため、折り目を少なくでき、託宣を読みやすくすることができる。また、円筒型包装容器が、卒業証書入れのミニチュア版のような形状であるため、外観がよく携帯性もよいため、参拝者の購買意欲を更に高めることができる。
【００１５】
本考案の４の水引細工入りおみくじによれば、託宣が記載されている紙に水引細工の説明も記載されているため、水引細工の結び方の意味を知ることができる。水引細工は、普段見かけない飾り紐の結び方であり馴染みがない人が多いが、その結び方の意味を知ることができることから、水引細工と一緒に紙を容器に入れて持ち帰らせる効果がある。それにより、神社境内のごみの量を減らすことができる。また、水引細工を手紙に添えたり、封筒に貼ったりして送る際にも、水引細工の意味を添えて送ることができる。
【図面の簡単な説明】
【００１６】
【図１】本考案の一実施例である水引細工の模式図である。
【図２】本考案の一実施例である水引細工の４種類の花部分を示す模式図である。
【図３】本考案の一実施例である水引細工入りおみくじの包装容器を開けた状態と閉じた状態を示す模式図である。
【図４】本考案の一実施例である託宣が記載されている紙の説明図である。
【考案を実施するための形態】
【００１７】
以下、本考案の実施の形態（以下実施例と記す）を、図面に基づいて説明する。なお、以下の図において、共通する部分には同一の符号を付しており、同一符号の部分に対して重複した説明を省略する。
【００１８】
従来、水引は祝儀袋や香典の袋などに付けられる飾り紐として使用され、水引細工は神社や寺院での祭事で縁起物として使用されている。水引細工は日本の伝統工芸として、結ぶ、巻く、編むという伝統的な手作りの技法で製作される。図１は、本実施例で使用する水引細工の一例である。本実施例で使用する水引細工は、おみくじの包装容器に入れる小さな「一輪の花」のイメージで製作されたものである。
【００１９】
図１に示す水引細工１０は、花の形状部分１１（以下、花部分）と茎の形状部分１２（以下、茎部分）からなる。本実施例では、水引細工１０の花部分１１の縦（Ｙ１）と横（Ｘ１）の長さが１．５ｃｍ程度、奥行きが０．５ｃｍ程度であり、茎部分１２の縦（Ｙ２）の長さが５．０ｃｍ程度であり、全長（Ｙ１＋Ｙ２）が６．５ｃｍ程度の小型の水引細工である。水引細工１０の大きさはこれに限定されるものではないが、形状を保持するために、後述するおみくじの包装容器に余裕を持って入れることができる大きさであることが好ましい。
【００２０】
水引細工１０は、例えば、紙縒りの紐に色付きのコーティングを施した紐や、紙縒りの紐に極細の繊維を巻きつけた紐で製作される。本実施例では、紙縒りの紐に赤や金色の極細の繊維を巻きつけた紐で、水引細工１０を製作する。紐の色はこれに限定されず、どのような色でもよい。花部分１１は、図１では花の形状を示すが、これの他に、紐の結び方や巻き方などの違いで様々な種類の形状がある。
【００２１】
図２は、花部分１１の例として４種類の形状を示す。図２（Ａ）は、花部分１１が図１と同じ、花の形状を示す。この水引細工１０は、一本の紐だけを使用して花部分１１と茎部分１２が製作されている。一本の紐の両端は茎の先端にあり、ほどけにくい形状となっている。
【００２２】
図２（Ｂ）は、花部分１１が四つ葉の形状をしており、図２（Ａ）と同様に一本の紐だけを使用して花部分１１と茎部分１２が製作されている。図２（Ｂ）は、花部分１１を四つ葉の形状にするために、紐の一端は四つ葉の上にあり、他端は茎の先端にある。
【００２３】
図２（Ｃ）は、花部分１１がハートの形状をしたものである。図２（Ａ）と（Ｂ）と同様に一本の紐だけを使用して花部分１１と茎部分１２が製作されている。また、図２（Ａ）と同様に紐の両端は茎の先端にあり、ほどけにくい形状となっている。
【００２４】
図２（Ｄ）は、花部分１１が渦（波）の形状をしたものである。図２（Ａ）〜（Ｃ）とは異なり、花部分１１と茎部分１２が異なる紐で製作されている。花部分１１を形成する紐の両端は、２つの渦の中心部にあり、茎部分１２を形成する紐の両端は茎の先端にある。この場合には、２本の紐を使用するため、花部分１１と茎部分１２で紐の色を変えてもよいし、同じ色の紐を使用してもよい。本実施例では、花部分１１を赤色、茎部分１２を金色の紐で製作する。
【００２５】
次に上記の水引細工１０を含むおみくじについて説明する。図３は、本実施例の水引細工入りおみくじの包装容器を開けた状態と閉じた状態を示す模式図である。図３に示すように、本実施例の包装容器２０は紙製の円筒型で、卒業証書入れのミニチュア版のような形状である。包装容器２０は、本体部２１と蓋部２２で構成される。本実施例では、包装容器２０の全長は７．２ｃｍ程度で、直径は１．５ｃｍ程度であり、水引細工１０の花部分１１を少し窄めれば、充分に入る大きさとなっている。
【００２６】
図３（Ａ）に示すように、包装容器２０の本体部２１の中には水引細工１０と、託宣が記載されている紙３０が収納される。水引細工１０の花部分１１が上になるように収納すれば、蓋２２を開けたときに、最初に花部分１１が見え、見栄えがよい。包装容器２０は円筒型であるため、水引細工１０の立体的な形状を保つことができる。
【００２７】
包装容器２０に入れる託宣が記載されている紙３０は、横長の長方形の形状であり、横方向は、数回程折った後又は折らずに丸めて収納でき、縦方向は折らずに収納できる大きさとなっている。従って、紙３０の折り目を少なくすることができ、託宣などが読みやすい。
【００２８】
図３（Ｂ）は、水引細工１０と、託宣が記載されている紙３０が収納された包装容器２０の本体部２１に、蓋部２２で蓋をした状態であり、本実施例のおみくじ１の外観図である。蓋をした状態では外部から中に収納されている水引細工１０を視認できない構成となっている。包装容器２０には、日本の伝統的な模様（桜や毬など）を色刷りにした和紙で装飾が施されており、華やかでありながら上品な装飾となっている。包装容器２０の装飾は、一種類ではなく、柄や色が異なるものが数種類ある。このような、華やかで上品な装飾かつコンパクトな包装容器２０は、外観がよく携帯性もよいため、水引細工１０を包装容器２０に入れることで、更に参拝者の購買意欲を高めることができる。
【００２９】
次に、託宣が記載されている紙３０について図４を用いて説明する。図４に示すように、紙３０は、おみくじに通常、記載されている託宣部分（Ａ１）と水引細工１０の説明部分（Ａ２）で構成されている。本実施例では水引細工１０が花部分１１と茎部分１２から構成されているため、水引細工１０を「水引の花」として説明する。図４のＡ２部分に示すように、花部分１１が図２（Ａ）の花型の場合には、結び方の形状を示す「花（開運の花）」と、それに関連したお告げ（例えば「運勢が花開き、良いことが起こります」）が記載されている。同様に図２（Ｂ）の場合には、「四つ葉（幸福の花）」、図２（Ｃ）の場合には、「心（愛情の花）」、図２（Ｄ）の場合には、「波の花（清らかな花）」とそれらに関するお告げが記載されている。
【００３０】
上記に示した水引細工１０（水引の花）の説明はいずれも縁起がよいため、おみくじを購入した参拝者は、紙３０を神社境内の木などに結ばずに、水引細工１０と共に容器２０に入れて持ち帰ることが多い。それにより、神社境内のごみの量を減らすことができる。また、持ち帰った水引細工１０や紙３０をお守りとして使用できるだけでなく、水引細工１０を手紙に添えて送る際にも、水引細工１０の説明（例えば「花（開運の花）...」）を添えて送ることができる。
【００３１】
また、１つのおみくじに１種類の水引細工１０（水引の花）が含まれているが、他の種類の「水引の花」についても紙３０に説明が記載されているため、参拝者が好きな形状の「水引の花」が出るまで購入することや、コレクションのために購入することもあり得る。それにより、おみくじの販売個数が増加するという効果がある。
【００３２】
以上、説明してきたように、本考案の水引細工入りおみくじは、日本の伝統工芸品であり、縁起が良い水引細工（水引の花）を含んでおり、お守りとしての携帯性や有用性、美観にも優れ、参拝者が持ち帰りたくなるようなおみくじである。また、本考案のおみくじを手頃な値段で提供することができる。
【００３３】
なお、上述した実施例の水引細工入りおみくじは一例であり、その構成や外観の図柄、水引細工の形状等は、考案の趣旨を逸脱しない範囲で、適宜変更可能である。
【符号の説明】
【００３４】
１…水引細工入りおみくじ、１０…水引細工、１１…茎部分、１２…花部分、２０…包装容器、２１…本体部、２２…蓋部、３０…託宣が記載されている紙、Ａ１…託宣部分、Ａ２…水引細工の説明部分。
【図１】
0003193086.tif 000003
【図２】
0003193086.tif 000004
【図３】
0003193086.tif 000005
【図４】
0003193086.tif 000006
【手続補正書】
【提出日】平成26年7月10日(2014.7.10)
【手続補正１】
【補正対象書類名】実用新案登録請求の範囲
【補正対象項目名】請求項１
【補正方法】変更
【補正の内容】
【請求項１】
水引細工と、託宣が記載されている紙と、を包装容器の中に含むことを特徴とする水引細工入りおみくじ。
【手続補正２】
【補正対象書類名】明細書
【補正対象項目名】０００８
【補正方法】変更
【補正の内容】
【０００８】
本考案の１は、水引細工と、託宣が記載されている紙と、を包装容器の中に含むことを特徴とする水引細工入りおみくじである。